(57)【要約】      （修正有）【課題】人体にしっかりと密着してマッサージすることが可能で、部位の違いに応じてマッサージ力を自動調整可能な自動適応型マッサージ装置を提供する。【解決手段】装置はフレーム１を含み、フレームにはマニピュレータ機構が設けられ、マニピュレータ機構は装着ベース２を含み、装着ベースにはマッサージローラアセンブリが設けられる。ローラアセンブリはクランクアーム３１とマッサージローラ３２を含む。装着ベースには、更に、クランクアームとマッサージローラを連携動作させる揉みアセンブリ及び叩打アセンブリが設けられる。更に、装着ベースには走行アセンブリが設けられ、走行アセンブリは駆動走行軸を含む。駆動走行軸は装着ベースに回動可能に設けられ、両端にそれぞれ回転ホイール４２を備え、フレームに挿設される。装着ベースは駆動走行軸周りに回動可能にフレームに設けられる。フレームと装着ベースの間にはエアバッグが設けられ、装着ベースをフレームの外側へと反転させるよう押動可能である。【選択図】図１
0003229583.tif 000002
【実用新案登録請求の範囲】
【請求項１】
フレームを含み、前記フレームにマニピュレータ機構が設けられており、前記マニピュレータ機構は装着ベースを含み、前記装着ベースにマッサージローラアセンブリが設けられており、前記マッサージローラアセンブリは、クランクアーム及びマッサージローラを含み、前記マッサージローラは前記クランクアームに装着され、前記装着ベースには、更に、前記クランクアーム及び前記マッサージローラを連携して動作させるよう駆動する揉みアセンブリ及び叩打アセンブリが設けられており、前記装着ベースには、走行アセンブリが更に設けられており、前記走行アセンブリが駆動走行軸を含む自動適応型マッサージ装置であって、
前記フレームには、前記装着ベースを載置するための装着空間が設けられており、前記駆動走行軸は、前記装着ベースに回動可能に設けられ、前記駆動走行軸の両端は、それぞれ前記フレームに挿設され、前記装着ベースは、前記駆動走行軸周りに回動可能に前記フレームに設けられ、前記フレームと前記装着ベースとの間には、エアバッグが設けられており、前記エアバッグに給気することで、前記装着ベースを前記フレームの外側へと反転させるよう押動可能であり、前記フレームには、前記装着ベースの回動角度を規制する位置規制構造が設けられていることを特徴とする、自動適応型マッサージ装置。
【請求項２】
前記位置規制構造は、前記フレームに固設されるガードプレートであり、前記ガードプレートから前記装着ベースに近接する方向に向かってストッパが延伸しており、前記装着ベースには、前記ストッパと当接する突起が設けられていることを特徴とする、請求項１に記載の自動適応型マッサージ装置。
【請求項３】
前記揉みアセンブリは、揉み軸及び揉み駆動部材を含み、前記装着ベースには、２つの支持ベースが設けられており、前記揉み軸の両端が、それぞれ回動可能に前記支持ベースに設置され、前記叩打アセンブリは、叩打軸及び叩打駆動部材を含み、前記揉み駆動部材は揉みモータを含み、前記叩打駆動部材は叩打モータを含み、２つの前記支持ベースの間に収容空間が設けられており、前記叩打モータは、前記収容空間内に寝かせて設置され、前記揉み軸は、前記叩打モータの真上に位置しており、前記揉み軸の軸方向は、前記叩打モータの出力軸の軸方向と平行であり、前記揉みモータは、前記装着ベースに寝かせて設置され、前記揉みモータの出力軸は、前記揉み軸の下方まで延伸しており、前記揉み軸の軸方向は、前記揉みモータの出力軸の軸方向に対し垂直であることを特徴とする、請求項２に記載の自動適応型マッサージ装置。
【請求項４】
前記装着ベースにおける前記収容空間と前記支持ベースとの間には、回動区間が設けられており、前記揉みモータの出力軸には、第１ウォームが連動するよう接続されており、前記揉み軸には、前記第１ウォームと噛合する第１ウォームホイールが連動するよう接続されており、前記第１ウォーム及び前記第１ウォームホイールは、いずれも前記回動区間に位置しており、前記揉み軸における前記クランクアームに対応する箇所には、偏心カラーが設けられており、前記クランクアームにおける前記マッサージローラから離間する側の端部には、クランクアーム軸受が設けられており、前記クランクアーム軸受は、前記偏心カラーに覆設されることを特徴とする、請求項３に記載の自動適応型マッサージ装置。
【請求項５】
前記装着ベースにおける前記マッサージローラとは反対側の側面には、前記マッサージローラに近接する方向へ凹陥するよう収容空間が形成されており、前記収容空間の開口箇所にカバープレートが固設されていることを特徴とする、請求項３又は４に記載の自動適応型マッサージ装置。
【請求項６】
前記叩打軸は、前記揉み軸に対し前記揉みモータから離間する側に回動可能に設けられており、前記叩打モータの出力軸には、第１ベルトプーリが連動するよう接続されており、前記叩打軸における前記第１ベルトプーリに対応する箇所には、第２ベルトプーリが連動するよう接続されており、前記第１ベルトプーリ及び前記第２ベルトプーリは、ベルトを介して伝動し、前記収容空間には、ベルトを伝送するための貫通口が設けられており、前記叩打軸の端部及び前記叩打軸の本体は偏心して設けられ、前記叩打軸の両端には、それぞれ叩打軸受ハウジングが設けられており、前記叩打軸受ハウジングには、ボールヘッド接続ロッドが接続されており、前記ボールヘッド接続ロッドのロッド部は、前記叩打軸受ハウジングにヒンジ接続されており、前記ボールヘッド接続ロッドのヘッド部は、前記クランクアームに接続されることを特徴とする、請求項３又は４に記載の自動適応型マッサージ装置。
【請求項７】
前記駆動走行軸は、前記揉み軸に対し前記叩打軸から離間する側に設けられており、前記装着ベースにおける前記駆動走行軸と前記揉み軸との間には、載置空間が設けられており、前記揉みモータが前記載置空間に載置され、前記駆動走行軸の両端には、それぞれ第１回転ホイールが設けられており、前記ガードプレートは２つ設けられ、且つ前記フレームの両側に対応して設置されており、２つの前記ガードプレートには、それぞれ従動走行軸が固設されており、前記従動走行軸の端部に第２回転ホイールが設けられており、前記装着ベースには、前記駆動走行軸を回動駆動する駆動アセンブリが設けられていることを特徴とする、請求項３又は４に記載の自動適応型マッサージ装置。
【請求項８】
前記駆動アセンブリは更に走行モータを含み、前記走行モータは、前記載置空間に寝かせて設置され、前記走行モータの出力軸の軸方向は、前記駆動走行軸の軸方向に対し垂直であり、前記装着ベースには、回転軸が設けられており、前記回転軸は、前記駆動走行軸に対し垂直であり、前記走行モータの出力軸には、第２ウォームが連動するよう接続されており、前記回転軸には、前記第２ウォームと噛合する前記第２ウォームホイールが回動可能に設けられており、前記第２ウォームホイールには、第１はすば歯車が連動するよう接続されており、前記駆動走行軸における前記第１はすば歯車に対応する箇所には、前記第１はすば歯車と噛合する第２はすば歯車が設けられていることを特徴とする、請求項７に記載の自動適応型マッサージ装置。
【考案の詳細な説明】
【技術分野】
【０００１】
本考案は、マッサージチェアの技術分野に関し、特に、自動適応型マッサージ装置に関する。
【背景技術】
【０００２】
従来のマッサージチェアは、マッサージチェアフレームとマッサージマニピュレータを含む。マッサージチェアフレームにはガイドレールが設けられている。また、マッサージマニピュレータは装着ベースを含み、装着ベースがガイドレールに沿って上下に摺動可能である。装着ベースには、人体をマッサージするためのマッサージローラアセンブリ、マッサージローラアセンブリを揉み駆動させる揉みアセンブリ、及びマッサージローラアセンブリを叩打駆動させる叩打アセンブリが装着されている。また、装着ベースとガイドレールの間には、装着ベースをガイドレールに沿って移動させるよう駆動する走行アセンブリが設けられている。
【０００３】
ところが、このようなマッサージ装置では、マッサージローラアセンブリ、揉みアセンブリ及び叩打アセンブリがいずれも装着ベースに設けられているが、装着ベースの自由がきかないことから、マッサージローラアセンブリを人体に対し接離する方向に移動させることができない。そのため、必要に応じてマッサージローラアセンブリの位置を調節することができず、人体に対し十分に密着させられない。
【考案の概要】
【考案が解決しようとする課題】
【０００４】
本考案は、従来技術の瑕疵を解消し、人体にしっかりと密着してマッサージすることが可能であり、且つ、部位の違いに応じてマッサージ力を自動調整可能であり、快適性が向上する自動適応型マッサージ装置を提供する。
【課題を解決するための手段】
【０００５】
上記の目的を実現するために、本考案が採用する技術方案は以下の通りである。
【０００６】
自動適応型マッサージ装置であって、フレームを含み、前記フレームにマニピュレータ機構が設けられている。マニピュレータ機構は装着ベースを含み、装着ベースにマッサージローラアセンブリが設けられている。前記マッサージローラアセンブリはクランクアームとマッサージローラを含む。前記マッサージローラはクランクアームに装着される。前記装着ベースには、更に、クランクアームとマッサージローラを連携して動作させるよう駆動する揉みアセンブリ及び叩打アセンブリが設けられている。更に、前記装着ベースには走行アセンブリが設けられている。走行アセンブリは駆動走行軸を含む。前記フレームには装着ベースを載置するための装着空間が設けられている。前記駆動走行軸は装着ベースに回動可能に設けられる。駆動走行軸の両端はそれぞれフレームに挿設される。前記装着ベースは駆動走行軸周りに回動可能にフレームに設けられる。前記フレームと装着ベースの間にはエアバッグが設けられている。エアバッグに給気することで、装着ベースをフレームの外側へと反転させるよう押動可能である。前記フレームには、装着ベースの回動角度を規制する位置規制構造が設けられている。
【０００７】
上記の方案によれば、マッサージローラはクランクアームに回動可能に設けられている。クランクアームは２つ設けられており、マッサージローラは４つ設けられている。且つ、マッサージローラは２つずつ対応するよう設置されている。揉みアセンブリはクランクアームとマッサージローラが人体を揉むよう駆動可能であり、叩打アセンブリはクランクアームとマッサージローラが人体を叩打するよう駆動可能である。これによれば、マッサージローラが肌に接触してマッサージを行うため、いっそう快適となる。また、装着空間の形状は装着ベースの形状と一致している。装着ベースは、駆動走行軸を回動の支点として駆動走行軸周りに回動可能である。また、フレームと装着ベースの間にはエアバッグが装着されており、給気口を通じて給気及び排気することが可能である。エアバッグに給気することで、装着ベースをフレームの外側へ反転させるよう押動したあと、位置規制構造によって装着ベースの回動角度を規制することが可能である。エアバッグが異なる空気圧を有することで、マッサージ装置は人体から異なる圧力を受け、マッサージ力も異なるものになる。エアバッグに給気して装着ベースを一定の角度だけ持ち上げるよう押動することで、全行程を通じて人体にしっかりと密着し、マッサージすることが可能となる。また、エアバッグは一定の圧縮可能性を有することから、動作時にマッサージがごつごつせず、ソフトなマッサージを実現可能となるため、快適性が向上する。
【０００８】
本考案は、更に次のように設置される。即ち、前記位置規制構造はフレームに固設されるガードプレートである。前記ガードプレートから装着ベースに近接する方向に向かってストッパが延伸しており、前記装着ベースにはストッパと当接する突起が設けられている。
【０００９】
上記の方案によれば、ガードプレートはフレームにネジで螺接されている。また、エアバッグに給気することで、装着ベースをフレームの外側へと反転させるよう押動可能である。ガードプレート上のストッパは突起の回動軌道上に位置しており、装着ベース上の突起がストッパと当接したときに、装着ベースが最大反転角度に到達する。本構造はシンプルである。
【００１０】
本考案は、更に次のように設置される。即ち、前記揉みアセンブリは揉み軸と揉み駆動部材を含む。装着ベースには２つの支持ベースが設けられており、揉み軸の両端がそれぞれ回動可能に支持ベースに設置される。叩打アセンブリは叩打軸と叩打駆動部材を含む。揉み駆動部材は揉みモータを含み、叩打駆動部材は叩打モータを含む。２つの支持ベースの間には収容空間が設けられており、前記叩打モータが収容空間内に寝かせて設置される。揉み軸は叩打モータの真上に位置している。揉み軸の軸方向は叩打モータの出力軸の軸方向と平行である。前記揉みモータは装着ベースに寝かせて設置され、前記揉みモータの出力軸は揉み軸の下方まで延伸している。揉み軸の軸方向は揉みモータの出力軸の軸方向に対し垂直である。
【００１１】
上記の方案によれば、叩打モータが揉み軸の下方に配置されており、且つ２つの支持ベースの間に位置しているため、２つの支持ベースの間の空間を十分に活用可能である。また、叩打モータは収容空間内に寝かせて設置され、揉みモータは装着ベースに寝かせて設置されるため、装着ベース全体を薄くすることが可能である。また、叩打モータの出力軸と揉みモータの出力軸は互いに垂直なため、装着スペースを更に節約可能となる。これにより、装着ベースの空間利用率が向上し、体積がいっそう小さくなる。
【００１２】
本考案は、更に次のように設置される。即ち、前記装着ベースにおける収容空間と支持ベースの間には回動区間が設けられている。前記揉みモータの出力軸には第１ウォームが連動するよう接続されており、揉み軸には第１ウォームと噛合する第１ウォームホイールが連動するよう接続されている。第１ウォームと第１ウォームホイールはいずれも回動区間に位置している。前記揉み軸におけるクランクアームに対応する箇所には偏心カラーが設けられている。前記クランクアームにおけるマッサージローラから離間する側の端部にはクランクアーム軸受が設けられており、クランクアーム軸受は偏心カラーに覆設される。
【００１３】
上記の方案によれば、第１ウォームが揉みモータの出力軸に固設されている。これにより、揉みモータが第１ウォームを回動させ、第１ウォームが第１ウォームホイールを回動させ、第１ウォームホイールと揉み軸が同期して回動する。本構造はシンプルであり、伝動が安定的である。また、第１ウォームと第１ウォームホイールはいずれも回動区間に位置しており、２つの支持ベースの間の空間を十分に活用している。つまり、叩打モータを載置するだけでなく、揉み駆動部材も載置可能なため、装着ベースの構造全体がいっそうコンパクトとなる。また、揉み軸は偏心カラーを偏心運動させる。クランクアームの軸受は偏心カラーに覆設されているため、クランクアームは小幅で動作し、マッサージローラを介して人体に作用することで、揉み動作を実現する。本構造はシンプルであり、伝動がより安定的となる。
【００１４】
本考案は、更に次のように設置される。即ち、前記装着ベースにおけるマッサージローラとは反対側の側面には、マッサージローラに近接する方向へ凹陥するよう収容空間が形成されており、収容空間の開口箇所にカバープレートが固設されている。
【００１５】
上記の方案によれば、叩打モータを装着する際に装着ベース全体を分解する必要はなく、カバープレートを取り外して叩打モータを収容空間内に載置したあと、ネジでカバープレートを装着ベースに螺接すればよい。本構造はシンプルであり、操作が容易である。
【００１６】
本考案は、更に次のように設置される。即ち、前記叩打軸は、揉み軸に対し揉みモータから離間する側に回動可能に設けられている。叩打モータの出力軸には第１ベルトプーリが連動するよう接続されており、叩打軸における第１ベルトプーリに対応する箇所には第２ベルトプーリが連動するよう接続されている。第１ベルトプーリと第２ベルトプーリはベルトを介して伝動する。収容空間にはベルトを伝送するための貫通口が設けられている。前記叩打軸の端部と叩打軸の本体は偏心して設けられる。叩打軸の両端にはそれぞれ叩打軸受ハウジングが設けられており、叩打軸受ハウジングにはボールヘッド接続ロッドが接続されている。ボールヘッド接続ロッドのロッド部は叩打軸受ハウジングにヒンジ接続されている。ボールヘッド接続ロッドのヘッド部はクランクアームに接続される。
【００１７】
上記の方案によれば、叩打モータが第１ベルトプーリを回動駆動し、第１ベルトプーリがベルトを介して第２ベルトプーリを回動させる。ベルトは貫通口に挿設され、第２ベルトプーリは叩打軸と同期して回動する。本構造はシンプルであり、伝動が安定的である。また、叩打軸と揉みモータはそれぞれ揉み軸の両側に位置しているため、互いに干渉することがなく、装着ベースの空間を十分に活用することも可能である。また、叩打軸は叩打軸受ハウジングを偏心運動させる。叩打軸受ハウジングは叩打軸と連携してボールヘッド接続ロッドを振動させることで、クランクアームを振動させて叩打動作を実現する。また、クランクアームには、ボールヘッド接続ロッドのヘッド部に回転可能に組み合わされるボール状空間が設けられており、ボールヘッド接続ロッドのヘッド部がボール状空間に組み合わされることで、動作が停止するとの事態を回避可能となる。本構造はシンプルであり、設計が合理的である。
【００１８】
本考案は、更に次のように設置される。即ち、前記駆動走行軸は、揉み軸に対し叩打軸から離間する側に設けられている。装着ベースにおける駆動走行軸と揉み軸の間には載置空間が設けられており、揉みモータが載置空間に載置される。前記駆動走行軸の両端にはそれぞれ第１回転ホイールが設けられている。前記ガードプレートは２つ設けられ、且つフレームの両側に対応して設置されている。２つのガードプレートにはそれぞれ従動走行軸が固設されており、従動走行軸の端部に第２回転ホイールが設けられている。装着ベースには、駆動走行軸を回動駆動する駆動アセンブリが設けられている。
【００１９】
上記の方案によれば、装着ベース内に、マッサージローラから離間する方向に凹陥した載置領域が設けられており、当該載置領域が駆動走行軸と揉み軸の間に位置している。揉みモータは載置空間に寝かせて載置され、駆動走行軸と揉み軸の間の空間を十分に活用しているため、装着ベースの厚さを更に縮小することが可能である。また、マニピュレータが走行機能を有するよう、ガードプレートには従動走行軸が固設されている。
【００２０】
本考案は、更に次のように設置される。即ち、前記駆動アセンブリは更に走行モータを含む。走行モータは載置空間に寝かせて設置される。走行モータの出力軸の軸方向は駆動走行軸の軸方向に対し垂直である。前記装着ベースには回転軸が設けられている。回転軸は駆動走行軸に対し垂直である。走行モータの出力軸には第２ウォームが連動するよう接続されており、回転軸には第２ウォームと噛合する第２ウォームホイールが回動可能に設けられている。前記第２ウォームホイールには第１はすば歯車が連動するよう接続されており、駆動走行軸における第１はすば歯車に対応する箇所には、第１はすば歯車と噛合する第２はすば歯車が設けられている。
【００２１】
上記の方案によれば、走行モータは載置空間に寝かせて設置されるため、装着ベースの厚さが更に縮小される。また、第２ウォームは走行モータの出力軸に一体的に設けられており、走行モータが第２ウォームを回動駆動すると、第２ウォームが第２ウォームホイールを回動させる。また、第１はすば歯車は第２ウォームホイールに固定又は一体的に設置されており、第１はすば歯車が第２はすば歯車を回動させる。これにより、駆動走行軸が回動するため、伝動が安定的となる。
【００２２】
以下に、図面を組み合わせて本考案につき更に述べる。
【図面の簡単な説明】
【００２３】
【図１】図１は、本考案の実施例における反転状態を示す図である。
【図２】図２は、本考案の実施例における内部装着構造を示す図である。
【図３】図３は、叩打モータ、揉みモータ及び走行モータの装着構造を示す図である。
【図４】図４は、装着ベースの構造を示す図である。
【図５】図５は、エンドカバーと装着ベースの組み合わせを示す図である。
【図６】図６は、揉みアセンブリの構造を示す図である。
【図７】図７は、叩打アセンブリの構造を示す図である。
【図８】図８は、走行機構の構造を示す図である。
【図９】図９は、フレームとエアバッグの組み合わせ構造を示す図である。
【図１０】図１０は、フレームの構造を示す図である。
【図１１】図１１は、クランクアームとマッサージローラの組み合わせ構造を示す図である。
【図１２】図１２は、叩打軸の構造を示す図である。
【考案を実施するための形態】
【００２４】
図１〜図１２に示すように、自動適応型マッサージ装置はフレーム１を含む。フレーム１にはマニピュレータ機構が設けられている。マニピュレータ機構は装着ベース２を含み、装着ベース２にマッサージローラアセンブリが設けられている。マッサージローラアセンブリはクランクアーム３１とマッサージローラ３２を含む。クランクアーム３１は対称に２つ設けられており、且つこれらの構造は類似している。クランクアーム３１の一端にはクランクアーム軸受３３が設けられており、クランクアーム３１の他端にはローラフレーム３４が固設されている。各ローラフレーム３４にはマッサージローラ３２が２つずつ設けられている。また、２つのクランクアームのマッサージローラ３２は互いに対応して設けられる。装着ベース２には、更に、クランクアーム３１とマッサージローラ３２を連携して動作させるよう駆動する揉みアセンブリ及び叩打アセンブリが設けられている。また、装着ベース２には走行アセンブリが更に設けられている。走行アセンブリは駆動走行軸４１を含む。また、フレーム１には装着ベース２を載置するための装着空間１１が設けられている。装着空間１１は装着ベース２の形状と一致している。駆動走行軸４１は軸受を介して装着ベース２に回動可能に設けられる。駆動走行軸４１の両端はそれぞれフレーム１に挿設され、フレーム１には駆動走行軸４１を挿設するための第１貫通孔１２が設けられている。装着ベース２は駆動走行軸４１周りに回動可能にフレーム１に設けられる。また、フレーム１と装着ベース２の間にはエアバッグ５が設けられている。エアバッグ５は装着空間１１の底面に設けられ、且つ、装着空間１１の底面には、エアバッグ５の給気口５１を伸出させる第２貫通孔１３が更に設けられている。エアバッグ５に給気することで、装着ベース２をフレーム１の外側へと反転させるよう押動可能である。また、フレーム１には、装着ベース２の回動角度を規制する位置規制構造が設けられている。位置規制構造はフレーム１に固設されるガードプレート６であり、ガードプレート６から装着ベース２に近接する方向に向かってストッパ６１が延伸している。また、装着ベース２には、ストッパ６１と当接する突起２１が設けられている。エアバッグ５が異なる空気圧を有することで、マッサージ装置は人体から異なる圧力を受け、マッサージ力も異なるものになる。エアバッグ５に給気して装着ベース２を一定の角度だけ持ち上げるよう押動することで、全行程を通じて人体にしっかりと密着し、マッサージすることが可能となる。また、エアバッグ５は一定の圧縮可能性を有することから、動作時にマッサージがごつごつせず、ソフトなマッサージを実現可能となるため、快適性が向上する。
【００２５】
本実施例において、揉みアセンブリは揉み軸７１と揉み駆動部材を含む。装着ベース２には２つの支持ベース２２が固定又は一体的に設けられており、揉み軸７１の両端がそれぞれ回動可能に支持ベース２２に設置される。叩打アセンブリは叩打軸８１と叩打駆動部材を含む。揉み駆動部材は揉みモータ７２を含み、叩打駆動部材は叩打モータ８２を含む。また、２つの支持ベース２２の間には収容空間２３が設けられている。収容空間２３は、装着ベース２におけるマッサージローラ３２とは反対側の側面に、マッサージローラ３２に近接する方向へ凹陥するよう形成される。収容空間２３の開口には、ネジで螺接することでカバープレート９が固設されており、収容空間２３内に叩打モータ８２が寝かせて設置される。揉み軸７１は叩打モータ８２の真上に位置しており、揉み軸７１の軸方向は叩打モータ８２の出力軸の軸方向と平行である。また、揉みモータ７２は装着ベース２に寝かせて設置され、揉みモータ７２の出力軸が揉み軸７１の下方まで延伸している。揉み軸７１の軸方向は揉みモータ７２の出力軸の軸方向に対し垂直である。
【００２６】
本実施例において、装着ベース２における収容空間２３と支持ベース２２の間には回動区間２４が設けられている。また、揉みモータ７２の出力軸には第１ウォーム７３が固定及び覆設されており、揉み軸７１には第１ウォーム７３と噛合する第１ウォームホイール７４が固定及び覆設されている。第１ウォーム７３と第１ウォームホイール７４はいずれも回動区間２４に位置している。また、揉み軸７１におけるクランクアーム３１に対応する箇所には偏心カラー７５が設けられており、クランクアーム軸受３３が偏心カラー７５に覆設される。
【００２７】
本実施例において、叩打軸８１は、揉み軸７１に対し揉みモータ７２から離間する側に回動可能に設けられている。叩打モータ８２の出力軸には第１ベルトプーリ８３が固定及び覆設されており、叩打軸８１における第１ベルトプーリ８３に対応する箇所には第２ベルトプーリ８４が固定及び覆設されている。第２ベルトプーリ８４の直径は第１ベルトプーリ８３の直径よりも大きく、減速の役割を果たす。また、第１ベルトプーリ８３と第２ベルトプーリ８４はベルト８５を介して伝動する。収容空間２３には、ベルト８５を伝送するための貫通口２３１が設けられている。また、叩打軸８１の端部８１１と叩打軸８１の本体８１２は偏心して設けられる。叩打軸８１の両端にはそれぞれ叩打軸受ハウジング８６がしっかりと覆設されており、叩打軸受ハウジング８６にはボールヘッド接続ロッド８７が接続されている。ボールヘッド接続ロッド８７のロッド部８７１は叩打軸受ハウジング８６にヒンジ接続されている。クランクアーム３１には、ボールヘッド接続ロッド８７のヘッド部８７２の形状と一致するボール状空間３１１が設けられており、ボールヘッド接続ロッド８７のヘッド部８７２がボール状空間３１１に挿設される。
【００２８】
本実施例において、駆動走行軸４１は、揉み軸７１に対し叩打軸８１から離間する側に設けられている。装着ベース２における駆動走行軸４１と揉み軸７１の間には載置空間２５が設けられており、揉みモータ７２が載置空間２５に載置される。駆動走行軸４１の両端にはそれぞれ第１回転ホイール４２が設けられている。また、ガードプレート６は２つ設けられ、且つフレーム１の両側に対応して設置されている。２つのガードプレート６にはそれぞれ従動走行軸４３が固設されており、従動走行軸４３の端部に第２回転ホイール４４が設けられている。装着ベース２には、駆動走行軸４１を回動駆動する駆動アセンブリが設けられており、駆動アセンブリが更に走行モータ４５を含む。走行モータ４５は載置空間２５に寝かせて載置される。走行モータ４５の出力軸の軸方向は駆動走行軸４１の軸方向に対し垂直である。また、装着ベース２には回転軸４６が設けられている。回転軸４６は駆動走行軸４１に対し垂直である。走行モータ４５の出力軸には第２ウォーム４７が一体的に設置されており、回転軸４６には第２ウォーム４７と噛合する第２ウォームホイール４８が回動可能に設けられている。また、第２ウォームホイール４８には第１はすば歯車４９が固定又は一体的に設置されており、駆動走行軸４１における第１はすば歯車４９に対応する箇所には、第１はすば歯車４９と噛合する第２はすば歯車４１０が固定及び覆設されている。
【００２９】
以上の実施例は、本考案の好ましい具体的実施例の一つにすぎない。当業者が本考案の技術方案の範囲内で行う通常の変形及び置き換えは、いずれも本考案の保護の範囲に含まれる。
【図１】
0003229583.tif 000003
【図２】
0003229583.tif 000004
【図３】
0003229583.tif 000005
【図４】
0003229583.tif 000006
【図５】
0003229583.tif 000007
【図６】
0003229583.tif 000008
【図７】
0003229583.tif 000009
【図８】
0003229583.tif 000010
【図９】
0003229583.tif 000011
【図１０】
0003229583.tif 000012
【図１１】
0003229583.tif 000013
【図１２】
0003229583.tif 000014
【手続補正書】
【提出日】令和2年9月23日(2020.9.23)
【手続補正１】
【補正対象書類名】実用新案登録請求の範囲
【補正対象項目名】全文
【補正方法】変更
【補正の内容】
【実用新案登録請求の範囲】
【請求項１】
フレームを含み、前記フレームにマニピュレータ機構が設けられており、前記マニピュレータ機構は装着ベースを含み、前記装着ベースにマッサージローラアセンブリが設けられており、前記マッサージローラアセンブリは、クランクアーム及びマッサージローラを含み、前記マッサージローラは前記クランクアームに装着され、前記装着ベースには、更に、前記クランクアーム及び前記マッサージローラを連携して動作させるよう駆動する揉みアセンブリ及び叩打アセンブリが設けられており、前記装着ベースには、走行アセンブリが更に設けられており、前記走行アセンブリが駆動走行軸を含む自動適応型マッサージ装置であって、
前記フレームには、前記装着ベースを載置するための装着空間が設けられており、前記駆動走行軸は、前記装着ベースに回動可能に設けられ、前記駆動走行軸の両端は、それぞれ前記フレームに挿設され、前記装着ベースは、前記駆動走行軸周りに回動可能に前記フレームに設けられ、前記フレームと前記装着ベースとの間には、エアバッグが設けられており、前記エアバッグに給気することで、前記装着ベースを前記フレームの外側へと反転させるよう押動可能であり、前記フレームには、前記装着ベースの回動角度を規制する位置規制構造が設けられていることを特徴とする、自動適応型マッサージ装置。
【請求項２】
前記位置規制構造は、前記フレームに固設されるガードプレートであり、前記ガードプレートから前記装着ベースに近接する方向に向かってストッパが延伸しており、前記装着ベースには、前記ストッパと当接する突起が設けられていることを特徴とする、請求項１に記載の自動適応型マッサージ装置。
【請求項３】
前記揉みアセンブリは、揉み軸及び揉み駆動部材を含み、前記装着ベースには、２つの支持ベースが設けられており、前記揉み軸の両端が、それぞれ回動可能に前記支持ベースに設置され、前記叩打アセンブリは、叩打軸及び叩打駆動部材を含み、前記揉み駆動部材は揉みモータを含み、前記叩打駆動部材は叩打モータを含み、２つの前記支持ベースの間に収容空間が設けられており、前記叩打モータは、前記収容空間内に寝かせて設置され、前記揉み軸は、前記叩打モータの真上に位置しており、前記揉み軸の軸方向は、前記叩打モータの出力軸の軸方向と平行であり、前記揉みモータは、前記装着ベースに寝かせて設置され、前記揉みモータの出力軸は、前記揉み軸の下方まで延伸しており、前記揉み軸の軸方向は、前記揉みモータの出力軸の軸方向に対し垂直であることを特徴とする、請求項２に記載の自動適応型マッサージ装置。
【請求項４】
前記装着ベースにおける前記収容空間と前記支持ベースとの間には、回動区間が設けられており、前記揉みモータの出力軸には、第１ウォームが連動するよう接続されており、前記揉み軸には、前記第１ウォームと噛合する第１ウォームホイールが連動するよう接続されており、前記第１ウォーム及び前記第１ウォームホイールは、いずれも前記回動区間に位置しており、前記揉み軸における前記クランクアームに対応する箇所には、偏心カラーが設けられており、前記クランクアームにおける前記マッサージローラから離間する側の端部には、クランクアーム軸受が設けられており、前記クランクアーム軸受は、前記偏心カラーに覆設されることを特徴とする、請求項３に記載の自動適応型マッサージ装置。
【請求項５】
前記装着ベースにおける前記マッサージローラとは反対側の側面には、前記マッサージローラに近接する方向へ凹陥するよう前記収容空間が形成されており、前記収容空間の開口箇所にカバープレートが固設されていることを特徴とする、請求項３又は４に記載の自動適応型マッサージ装置。
【請求項６】
前記叩打軸は、前記揉み軸に対し前記揉みモータから離間する側に回動可能に設けられており、前記叩打モータの出力軸には、第１ベルトプーリが連動するよう接続されており、前記叩打軸における前記第１ベルトプーリに対応する箇所には、第２ベルトプーリが連動するよう接続されており、前記第１ベルトプーリ及び前記第２ベルトプーリは、ベルトを介して伝動し、前記収容空間には、ベルトを伝送するための貫通口が設けられており、前記叩打軸の端部及び前記叩打軸の本体は偏心して設けられ、前記叩打軸の両端には、それぞれ叩打軸受ハウジングが設けられており、前記叩打軸受ハウジングには、ボールヘッド接続ロッドが接続されており、前記ボールヘッド接続ロッドのロッド部は、前記叩打軸受ハウジングにヒンジ接続されており、前記ボールヘッド接続ロッドのヘッド部は、前記クランクアームに接続されることを特徴とする、請求項３又は４に記載の自動適応型マッサージ装置。
【請求項７】
前記駆動走行軸は、前記揉み軸に対し前記叩打軸から離間する側に設けられており、前記装着ベースにおける前記駆動走行軸と前記揉み軸との間には、載置空間が設けられており、前記揉みモータが前記載置空間に載置され、前記駆動走行軸の両端には、それぞれ第１回転ホイールが設けられており、前記ガードプレートは２つ設けられ、且つ前記フレームの両側に対応して設置されており、２つの前記ガードプレートには、それぞれ従動走行軸が固設されており、前記従動走行軸の端部に第２回転ホイールが設けられており、前記装着ベースには、前記駆動走行軸を回動駆動する駆動アセンブリが設けられていることを特徴とする、請求項３又は４に記載の自動適応型マッサージ装置。
【請求項８】
前記駆動アセンブリは更に走行モータを含み、前記走行モータは、前記載置空間に寝かせて設置され、前記走行モータの出力軸の軸方向は、前記駆動走行軸の軸方向に対し垂直であり、前記装着ベースには、回転軸が設けられており、前記回転軸は、前記駆動走行軸に対し垂直であり、前記走行モータの出力軸には、第２ウォームが連動するよう接続されており、前記回転軸には、前記第２ウォームと噛合する前記第２ウォームホイールが回動可能に設けられており、前記第２ウォームホイールには、第１はすば歯車が連動するよう接続されており、前記駆動走行軸における前記第１はすば歯車に対応する箇所には、前記第１はすば歯車と噛合する第２はすば歯車が設けられていることを特徴とする、請求項７に記載の自動適応型マッサージ装置。